(57)【要約】【課題】アクチュエータが撓みを生じて複数のコンタクトから離脱してしまう事態を生じ難いようにし、かつ、アクチュエータに“反り”等の変形が生じた場合においてもアクチュエータの回動操作上の不都合を回避できるコネクタ装置を提供する。【解決手段】第１の静止位置から第２の静止位置に移行するとき絶縁ハウジング（１３）に差し込まれた配線板部材を第１及び第２のコンタクトに押圧接触させるアクチュエータ（３０）を備え、第１のコンタクトにアクチュエータ（３０）の被係合部に係合してアクチュエータを支持する係合支持部が設けられ、第２のコンタクト（２１）にアクチュエータが配線板部材が無いもとで第１の静止位置又はその近傍の位置をとるにあたって撓みを生じたものとされるとき、アクチュエータの突起部（３４）に係合してその突起部の特定の方向の変位を阻止する抜止め部（２７ａ）が設けられる。【選択図】  図５
2018097979.tif 000002
【特許請求の範囲】
【請求項１】
配線板状部材の所定の差込み方向に沿った差込みがなされる絶縁ハウジングと、
上記絶縁ハウジングに所定の配置態様をもって配列配置されて取り付けられ、各々が上記絶縁ハウジングに差し込まれた配線板状部材における複数の接触端子部のうちの対応するものに当接する状態をとる接触部を有したものとされる複数の第１のコンタクト及び複数の第２のコンタクトと、
上記絶縁ハウジングに差し込まれた配線板状部材を上記接触部に向けて押圧する板状部材押圧部を有し、上記絶縁ハウジングに対して回動可能に設けられて、上記配線板状部材が上記絶縁ハウジングに差し込まれたもとで第１の静止位置から回動して第２の静止位置に移行するとき、上記板状部材押圧部により上記配線板状部材を押圧して、上記接触部に上記複数の接触端子部のうちの対応するものに押圧当接する状態をとらせるアクチュエータと、
を備えて成り、
上記アクチュエータが、上記第１のコンタクトが係合する被係合部と上記第２のコンタクトに対向する突起部とが設けられたものとされ、
上記第１のコンタクトが、上記アクチュエータに設けられた上記被係合部に係合して該アクチュエータを支持する係合支持部が設けられたものとされるとともに、上記第２のコンタクトが、上記アクチュエータが上記第１の静止位置をとるにあたって撓みを生じたものとされるとき、上記アクチュエータに設けられた上記突起部に係合して該突起部の上記差込み方向とは逆方向の変位を阻止する状態をとる抜止め部が設けられたものとされることを特徴とするコネクタ装置。
【請求項２】
上記絶縁ハウジングにおける上記複数の第１及び第２のコンタクトの配列において、上記第２のコンタクトが上記第１のコンタクトの所定数毎に配されていることを特徴とする請求項１記載のコネクタ装置。
【請求項３】
上記絶縁ハウジングにおける上記複数の第１及び第２のコンタクトの配列において、上記第１のコンタクトと上記第２のコンタクトとが交互に配されていることを特徴とする請求項２記載のコネクタ装置。
【請求項４】
上記複数の第１及び第２のコンタクトに夫々設けられた複数の接触部が、上記絶縁ハウジングにおける上記アクチュエータの板状部材押圧部に対向する部分に配されていることを特徴とする請求項１記載のコネクタ装置。
【請求項５】
上記アクチュエータの長手方向が上記複数の第１及び第２のコンタクトの配列方向に沿うものとされ、上記アクチュエータが、該アクチュエータの長手方向に延びる仮想回転軸をもって回動するものとされて、上記第１の静止位置から第２の静止位置への移行及び上記第２の静止位置から第１の静止位置への移行を行うことを特徴とする請求項１記載のコネクタ装置。
【請求項６】
上記アクチュエータに設けられた被係合部が軸状部を成しており、上記第１のコンタクトに設けられた係合支持部が鉤状部を成していることを特徴とする請求項１記載のコネクタ装置。
【請求項７】
上記アクチュエータに設けられた突起部が、上記アクチュエータが上記第１の静止位置あるいは該第１の静止位置の近傍の位置をとるとき、上記第２のコンタクトに設けられた抜止め部に対向する傾斜面部が設けられたものとされたことを特徴とする請求項１記載のコネクタ装置。
【発明の詳細な説明】
【技術分野】
【０００１】
本願の特許請求の範囲に記載された発明は、フレキシブル印刷配線基板（ＦＰＣ）やフレキシブル平板状ケーブル（ＦＦＣ）等の配線板状部材に設けられた接触端子部を、他の電気部品であるソリッド配線基板等とされる配線基板の配線部に電気的に連結された状態とするためのコネクタ装置に関する。
【背景技術】
【０００２】
各種の電子機器に実装される比較的小型なフレキシブル印刷配線基板やフレキシブル平板状ケーブル等の配線板状部材は、様々な電気部品が取り付けられる配線基板への取付けが、当該配線基板に電気的接続がなされて固定されたコネクタ装置が用いられて行われることが多いものとされる。このような配線板状部材の配線基板への取付けにあたって用いられるコネクタ装置は、配線基板の配線部に接続されたもとで配線板状部材に設けられた接触端子部に接触接続される導電性のコンタクトを有していて、そのコンタクトを介して、配線板状部材に設けられた接触端子部を配線基板の配線部に電気的に連結する。
【０００３】
従来提案されている、例えば、フレキシブル印刷配線基板とされる配線板状部材の配線基板への取付けに用いられるコネクタ装置は、例えば、フレキシブル印刷配線基板が成す配線板状部材が差し込まれる板状部材差し込み部が設けられたものとされて配線基板に配される、絶縁材料によって形成された絶縁ハウジングを有したものとされる。そして、斯かるコネクタ装置には、絶縁ハウジングに配列配置されて設けられ、配線板状部材が絶縁ハウジングの板状部材差し込み部に差し込まれたとき、その配線板状部材に設けられた複数の接触端子部に夫々対応するものとなる複数のコンタクトと、絶縁ハウジングに対して回動可能に設けられ、絶縁ハウジングの板状部材差し込み部に配線板状部材が差し込まれたもとで回動せしめられるとき、当該配線板状部材を配列配置された複数のコンタクトに向けて押圧し、複数のコンタクトに配線板状部材に設けられた複数の接触端子部に夫々押圧当接する状態をとらせるアクチュエータとが備えられる。
【０００４】
アクチュエータは、例えば、全体が複数のコンタクトの配列方向に沿って伸びる細長形状を成し、複数のコンタクトのうちの少なくとも一部に係合して当該複数のコンタクトのうちの少なくとも一部により支持される被支持部と配線板状部材に当接して当該配線板状部材を押圧する板状部材押圧部とが設けられていて、絶縁ハウジングに対する回動により、絶縁ハウジングに対して立ち上がった位置となる第１の静止位置と絶縁ハウジングに対して伏した位置となる第２の静止位置とを選択的にとる。
【０００５】
複数のコンタクトの各々は、導電性の弾性材料で形成され、絶縁ハウジングが配された配線基板における配線部に、例えば、半田付けにより接続される接続端子部と、絶縁ハウジングに差し込まれた配線板状部材に設けられた接触端子部に当接する状態をとる接触部と、が設けられたものとされる。また、複数のコンタクトのうちの少なくとも一部には、アクチュエータの被支持部に係合して当該アクチュエータを支持する係合支持部が設けられる。このようなもとにあっては、アクチュエータが、配列配置された複数のコンタクトにより支持されたもとで、絶縁ハウジングに対して回動せしめられることになる。
【０００６】
斯かるコネクタ装置にあっては、配線基板に配された絶縁ハウジングの板状部材差込み部に配線板状部材が差し込まれたもとで、アクチュエータが第１の静止位置から第２の静止位置へと所定の方向に回動せしめられるときには、当該アクチュエータは、それに設けられた板状部材押圧部を板状部材差込み部に差し込まれた配線板状部材に当接させて当該配線板状部材を複数のコンタクトに夫々設けられた複数の接触部に向けて押圧し、複数の接触部に配線板状部材の複数の接触端子部に夫々押圧当接する状態をとらせる。それにより、アクチュエータの第２の静止位置は、押圧動作位置を成すことになる。また、複数の接触部が配線板状部材の複数の接触端子部に夫々当接する状態をとるもとで、アクチュエータが第２の静止位置から第１の静止位置へと上述の所定の方向とは逆の方向に回動せしめられるときには、当該アクチュエータは、それに設けられた板状部材押圧部を板状部材差込み部に差し込まれた配線板状部材から離隔させて当該配線板状部材に対する押圧を解除し、複数のコンタクトに夫々設けられた複数の接触部を配線板状部材の複数の接触端子部に夫々押圧当接する状態から解放する。それにより、アクチュエータの第１の静止位置は、押圧動作解除位置を成すことになる。
【０００７】
このような従来のコネクタ装置にあっては、絶縁ハウジングの板状部材差込み部に配線板状部材が差し込まれていないもとでのアクチュエータの押圧動作解除位置を成す第１の静止位置から押圧動作位置を成す第２の静止位置への回動（以下、“空閉じ”という。）が可能なものとされるが、斯かるもとで、例えば、アクチュエータの“空閉じ”が行われ、その後、配線板状部材を絶縁ハウジングの板状部材差込み部に差し込むべく、アクチュエータの第２の静止位置から第１の静止位置への回動が行われると、アクチュエータに設けられた板状部材押圧部が配線板状部材に当接する事態が生じないので、アクチュエータに撓みが生じ、アクチュエータの被支持部が、複数のコンタクトのうちの少なくとも一部に設けられた係合支持部との係合を解除して、当該係合支持部による支持を受ける状態から脱してしまい、アクチュエータが配列配置された複数のコンタクトによる適正な支持を失って複数のコンタクトから離脱してしまうことになる虞がある。特に、絶縁ハウジングに配列配置された複数のコンタクトの数が多数とされ、アクチュエータの複数のコンタクトの配列方向における寸法が長大とされる場合には、“空閉じ”及びその後の第２の静止位置から第１の静止位置への回動により、アクチュエータが配列配置された複数のコンタクトによる適正な支持を失って複数のコンタクトから離脱してしまう事態が生じ易いことになってしまう。
【０００８】
そのため、上述のような、絶縁ハウジングを有し、絶縁ハウジングに配列配置された複数のコンタクトと複数のコンタクトにより支持されて絶縁ハウジングに対して回動可能とされたアクチュエータとを備えたコネクタ装置であって、アクチュエータの“空閉じ”が行われ、さらには、その後第２の静止位置から第１の静止位置への回動が行われる際においても、アクチュエータが配列配置された複数のコンタクトによる適正な支持を失って複数のコンタクトから離脱してしまう事態が生じ難いようにされたものが、改善されたコネクタ装置として従来提案されている（例えば、特許文献１参照。）。
【０００９】
特許文献１に示されるコネクタ装置（フレキシブル基板用電気コネクタ）においては、絶縁ハウジング（ハウジング(1))に異種のものとされた複数の第１のコンタクト（端子(10)) と複数の第２のコンタクト（端子(20)) とが交互に配列配置されて取り付けられており、また、絶縁ハウジングに対して回動可能とされたアクチュエータ（加圧部材(30)) が備えられている。アクチュエータは、複数の第１のコンタクト(10)及び複数の第２のコンタクト(20)の配列方向に沿って伸びるものとされていて、第１の静止位置（開放位置）と第２の静止位置（閉位置）とを選択的にとり、第１の静止位置から第２の静止位置へと、あるいは、第２の静止位置から第１の静止位置へと回動せしめられる。
【００１０】
複数の第１のコンタクト(10)の夫々は、上腕部(11)と下腕部(12)とを有しており、上腕部(11)にアクチュエータ(30)に係合する指状部(11A) が設けられていて、下腕部(12)に絶縁ハウジング(1) に差し込まれた配線板状部材（フレキシブル基板(P))に設けられた接触端子部（接続回路部）に当接する接触部（12B)が設けられている。また、複数の第２のコンタクト(20)の夫々は、上腕部(21)と下腕部(22)とを有しており、上腕部(21)にアクチュエータ(30)に係合する斜部(21A) が設けられていて、下腕部(22)に絶縁ハウジング(1) に挿入された配線板状部材(P) に設けられた接触端子部に当接する接触部（22A)が設けられている。そして、第１のコンタクト(10)の上腕部(11)に設けられた指状部(11A) は、アクチュエータ(30)に設けられた第一被案内部(31A) に、その上方（図１における上方）から係合するものとされており、また、第２のコンタクト(20)の上腕部(21)に設けられた斜部(21A) は、アクチュエータ(30)に設けられた第二被案内部(32A) にその下方（図１における下方）から係合するものとされている。
【００１１】
それにより、アクチュエータ(30)は、それにおける第一被案内部(31A) にその上方から係合する第１のコンタクト(10)の上腕部(11)に設けられた指状部(11A) と、それにおける第二被案内部(32A) にその下方から係合する第２のコンタクト(20)の上腕部(21)に設けられた斜部(21A) とによって支持されたもとで、第１の静止位置から第２の静止位置へと、あるいは、第２の静止位置から第１の静止位置へと回動せしめられるものとされている。従って、アクチュエータ(30)における第一被案内部(31A) と第二被案内部(32A) とが、アクチュエータ(30)の被支持部を形成しており、第１のコンタクト(10)の上腕部(11)に設けられた指状部(11A) と第２のコンタクト(20)の上腕部(21)に設けられた斜部(21A) とが、アクチュエータ(30)の被支持部を支持する係合支持部を形成していることになる。
【００１２】
そして、絶縁ハウジング(1) に配線板状部材(P) が差し込まれたもとで、アクチュエータ(30)が第１の静止位置から第２の静止位置へと回動せしめられるとき、アクチュエータ(30)に設けられた板状部材押圧部（加圧部(33)) により配線板状部材(P) が下方に押圧されて、第１のコンタクト(10)の下腕部(12)に設けられた接触部(12B) 及び第２のコンタクト(20)の下腕部(22)に設けられた接触部(22A) が配線板状部材(P) に設けられた接触端子部に押圧当接する状態におかれ、また、アクチュエータ(30)が第２の静止位置から第１の静止位置へと回動せしめられるとき、アクチュエータ(30)に設けられた板状部材押圧部(33)による配線板状部材(P) に対する下方への押圧が解除されて、第１のコンタクト(10)の下腕部(12)に設けられた接触部(12B) 及び第２のコンタクト(20)の下腕部(22)に設けられた接触部(22A) が配線板状部材(P) に設けられた接触端子部に押圧当接する状態から解放される。
【００１３】
このような特許文献１に示されるコネクタ装置にあっては、異種のものとされた複数の第１のコンタクト(10)と複数の第２のコンタクト(20)とが絶縁ハウジングに交互に配列配置されたものとして備えられたもとで、アクチュエータ(30)が、複数の第１のコンタクト(10)の夫々における上腕部(21)と複数の第２のコンタクト(20)の夫々における上腕部(21)とにより上下から挟まれて支持されたものとされることにより、アクチュエータ(30)の“空閉じ”が行われ、さらには、その後第２の静止位置から第１の静止位置への回動が行われたとしても、アクチュエータ(30)が交互に配列配置された複数の第１のコンタクト(10)と複数の第２のコンタクト(20)とによる適正な支持を失って複数の第１のコンタクト(10)と複数の第２のコンタクト(20)から離脱してしまう事態が生じ難いことになる。
【先行技術文献】
【特許文献】
【００１４】
【特許文献１】特開２００１−３０７８０５号公報
【発明の概要】
【発明が解決しようとする課題】
【００１５】
上述のように、異種のものとされた複数の第１のコンタクトと複数の第２のコンタクトとが絶縁ハウジングに交互に配列配置されたもとで、アクチュエータが、複数の第１のコンタクトの夫々における上腕部と複数の第２のコンタクトの夫々における上腕部とにより上下から挟まれて支持されたものとされ、それにより、アクチュエータが交互に配列配置された複数の第１のコンタクトと複数の第２のコンタクトとによる適正な支持を失う事態が生じ難いものとされた、従来提案されている改善されたコネクタ装置にあっては、次のようなアクチュエータの操作に関わる問題がある。
【００１６】
即ち、上述のような改善されたコネクタ装置にあっては、異種のものとされた複数の第１のコンタクトと複数の第２のコンタクトとが絶縁ハウジングに交互に配列配置されたもとで、アクチュエータが、複数の第１のコンタクトの夫々における上腕部と複数の第２のコンタクトの夫々における上腕部とにより上下から挟まれて支持されたものとされていることにより、アクチュエータが、複数の第１及び第２のコンタクトの配列方向における“反り”等の変形が生じたものとされた場合には、アクチュエータを第１の静止位置から第２の静止位置へと回動させる回動操作、あるいは、第２の静止位置から第１の静止位置へと回動させる回動操作が、複数の第１のコンタクト及び複数の第２のコンタクトの夫々における上腕部による抵抗を受けて、極めて行い難いもの、あるいは、適正に行うことができないものとされてしまうという不都合がもたらされるのである。
【００１７】
上述のようなアクチュエータが複数の第１及び第２のコンタクトの配列方向における“反り”等の変形を生じたものとされる事態は、絶縁ハウジングに配列配置される複数の第１及び第２のコンタクトの数が多数とされ、それに伴って、複数の第１及び第２のコンタクトの配列方向に沿って伸びるアクチュエータの該配列方向の寸法が長大とされる場合に、生じ易いものとなる。従って、上述のアクチュエータの回動操作上の不都合は、複数の第１及び第２のコンタクトの配列方向におけるアクチュエータの寸法が長大とされる場合に、取り分けもたらされ易いことになる。
【００１８】
斯かる点に鑑み、本願の特許請求の範囲に記載された発明は、絶縁ハウジングに複数のコンタクトが配列配置されて設けられるとともに、複数のコンタクトにより支持されて絶縁ハウジングに対する第１の静止位置から第２の静止位置への回動及び第２の静止位置から第１の静止位置への回動が可能とされたアクチュエータが設けられて成り、配線板状部材の絶縁ハウジングへの差込みがなされたもとで、アクチュエータが第１の静止位置から第２の静止位置へと回動せしめられることにより、複数のコンタクトの夫々に、配線板状部材に設けられた複数の接触端子部のうちの対応するものに対する押圧接触状態をとらせるコネクタ装置であって、アクチュエータの“空閉じ”が行われ、さらには、その後第２の静止位置から第１の静止位置への回動が行われる際においても、アクチュエータが配列配置された複数のコンタクトから離脱してしまう事態を生じ難くすることができ、かつ、アクチュエータが複数のコンタクトの配列方向における“反り”等の変形が生じたものとされる場合においても、アクチュエータの回動操作上の不都合がもたらされる事態を回避できるものを提供する。
【課題を解決するための手段】
【００１９】
本願の特許請求の範囲における請求項１から請求項７までのいずれかに記載された発明（以下、本発明という。）に係るコネクタ装置は、配線板状部材の所定の差込み方向に沿った差込みがなされる絶縁ハウジングと、絶縁ハウジングに所定の配置態様をもって配列配置されて取り付けられ、各々が絶縁ハウジングに差し込まれた配線板状部材における複数の接触端子部のうちの対応するものに当接する状態をとる接触部を有したものとされる複数の第１のコンタクト及び複数の第２のコンタクトと、絶縁ハウジングに差し込まれた配線板状部材を複数の第１及び第２のコンタクトの接触部に向けて押圧する板状部材押圧部を有し、絶縁ハウジングに対して回動可能に設けられて、配線板状部材が絶縁ハウジングに差し込まれたもとで第１の静止位置から回動して第２の静止位置に移行するとき、板状部材押圧部により配線板状部材を押圧して、複数の第１及び第２のコンタクトの接触部に配線板状部材における複数の接触端子部のうちの対応するものに押圧当接する状態をとらせるアクチュエータと、を備えて成り、アクチュエータが、第１のコンタクトが係合する被係合部と第２のコンタクトに対向する突起部とが設けられたものとされ、第１のコンタクトが、アクチュエータの被係合部に係合して当該アクチュエータを支持する係合支持部が設けられたものとされるとともに、第２のコンタクトが、アクチュエータが第１の静止位置をとるにあたって撓みを生じたものとされるとき、アクチュエータの突起部に係合して当該突起部の配線板状部材の差込み方向とは逆方向の変位を阻止する状態をとる抜止め部が設けられたものとされることを特徴とする。
【００２０】
上述のように構成される本発明に係るコネクタ装置にあっては、絶縁ハウジングに複数の第１及び第２のコンタクトが配列配置されて設けられるとともに、絶縁ハウジングに対して回動可能とされたアクチュエータが設けられ、配線板状部材が絶縁ハウジングに差し込まれたもとで、アクチュエータが、第１の静止位置から回動して第２の静止位置に移行するとき、それに設けられた板状部材押圧部により配線板状部材を押圧して、複数の第１及び第２のコンタクトの各々の接触部に配線板状部材における複数の接触端子部のうちの対応するものに押圧当接する状態をとらせる。斯かる際、アクチュエータが、それに設けられた被係合部に複数の第１のコンタクトの夫々に設けられた係合支持部が係合して、当該係合支持部により支持され、それにより、アクチュエータが複数の第１のコンタクトにより回動可能に支持されたものとされる。
【００２１】
そして、アクチュエータには、複数の第２のコンタクトの夫々に対向する突起部が設けられており、複数の第２のコンタクトの夫々には、アクチュエータが第１の静止位置をとるにあたって撓みを生じたものとされるとき、アクチュエータに設けられた突起部に係合して当該突起部の配線板状部材の差込み方向とは逆方向の変位を阻止する状態をとる抜止め部が設けられている。
【００２２】
このようなもとで、絶縁ハウジングにおける複数の第１及び第２のコンタクトの配列において、第２のコンタクトは、例えば、第１のコンタクトと第２のコンタクトとが交互に配される態様を含めて、第１のコンタクトの所定数毎に配されたものとされる。そして、アクチュエータに設けられた被係合部は、例えば、軸状部を成すものとされるとともに、第１のコンタクトに設けられた係合支持部は、例えば、鉤状部を成すものとされる。また、アクチュエータに設けられた突起部は、例えば、アクチュエータが第１の静止位置あるいは第１の静止位置の近傍の位置をとるとき、第２のコンタクトに設けられた抜止め部に対向する傾斜面部が設けられたものとされる。
【００２３】
さらに、本発明に係るコネクタ装置の一例にあっては、アクチュエータの長手方向が絶縁ハウジングに配列配置された複数の第１及び第２のコンタクトの配列方向に沿うものとされ、アクチュエータは、その長手方向に伸びる仮想回転軸をもって回動するものとされて、第１の静止位置から第２の静止位置への移行及び第２の静止位置から第１の静止位置への移行を行う。
【発明の効果】
【００２４】
上述の本発明に係るコネクタ装置によれば、配線板状部材が絶縁ハウジングに差し込まれたもとで、アクチュエータに設けられた板状部材押圧部により配線板状部材を押圧して、複数の第１及び第２のコンタクトの各々の接触部に配線板状部材における複数の接触端子部のうちの対応するものに押圧当接する状態をとらせるべく、アクチュエータを第１の静止位置から第２の静止位置へと回動移行させる際には、アクチュエータは、例えば、複数の第１のコンタクトと複数の第２のコンタクトとによって挟まれて支持される状態におかれることなく、それに設けられた被係合部に複数の第１のコンタクトの夫々に設けられた係合支持部が係合して、当該係合支持部により回動可能に支持された状態におかれるので、アクチュエータが複数の第１及び第２のコンタクトの配列方向における“反り”等の変形を生じたものとされる場合においても、アクチュエータの回動操作上の不都合がもたらされる事態を回避することができる。
【００２５】
それに加えて、本発明に係るコネクタ装置によれば、アクチュエータに複数の第２のコンタクトの夫々に対向する突起部が設けられているとともに、複数の第２のコンタクトの夫々に、アクチュエータが第１の静止位置をとるにあたって撓みを生じたものとされるとき、アクチュエータに設けられた突起部に係合して当該突起部の配線板状部材の絶縁ハウジングに対する差込み方向とは逆方向の変位を阻止する状態をとる抜止め部が設けられているので、アクチュエータの“空閉じ”が行われ、さらには、その後第２の静止位置から第１の静止位置への回動が行われる際においてアクチュエータが撓みを生じたものとされる場合にあっても、それによりアクチュエータが、絶縁ハウジングに対する配線板状部材の差込み方向とは逆方向に変位して配列配置された複数の第１及び第２のコンタクトから離脱してしまう事態を生じ難くすることができる。
【００２６】
また、絶縁ハウジングにおける複数の第１及び第２のコンタクトの配列において、第２のコンタクトが、第１のコンタクトと第２のコンタクトとが交互に配される態様を含めて、第１のコンタクトの所定数毎に配されたものとされる場合には、アクチュエータに設けられた被係合部に第１のコンタクトに設けられた係合支持部が係合することによる、第１のコンタクトによるアクチュエータの支持と、アクチュエータが第１の静止位置をとるにあたって撓みを生じたものとされるとき、第２のコンタクトに設けられた抜止め部がアクチュエータに設けられた突起部に係合することによる、当該突起部の配線板状部材の絶縁ハウジングに対する差込み方向とは逆方向の変位の阻止とが、複数の第１及び第２のコンタクトの配列配置全体に亙ってバランスよく行われる。そして、アクチュエータに設けられた被係合部が軸状部を成すものとされるとともに、第１のコンタクトに設けられた係合支持部が鉤状部を成すものとされる場合には、アクチュエータに設けられた被係合部に第１のコンタクトに設けられた係合支持部が係合することによる、第１のコンタクトによるアクチュエータの支持がより確実に行われる。また、アクチュエータに設けられた突起部が、アクチュエータが第１の静止位置あるいは第１の静止位置の近傍の位置をとるとき、第２のコンタクトに設けられた抜止め部に対向する傾斜面部が設けられたものとされる場合には、アクチュエータが第１の静止位置をとるにあたって撓みを生じたものとされるとき、突起部に設けられた傾斜面部に抜止め部が当接することになり、抜止め部が突起部に係合して当該突起部の配線板状部材の絶縁ハウジングに対する差込み方向とは逆方向の変位を阻止する状態がより確実かつ円滑に行われる。
【図面の簡単な説明】
【００２７】
【図１】本発明に係るコネクタ装置の一例を、それが実装された配線基板及びその絶縁ハウジングに差し込まれるフレキシブル印刷配線基板と共に示す斜視図である。
【図２】本発明に係るコネクタ装置の一例を、その絶縁ハウジングに差し込まれるフレキシブル印刷配線基板と共に示す平面図である。
【図３】図１における二点鎖線枠Ａ内を拡大して示す部分拡大図である。
【図４】図２における IV −IV線断面を示す断面図である。
【図５】図２におけるV −V 線断面を示す断面図である。
【図６】本発明に係るコネクタ装置の一例について、それが配線基板に実装されてアクチュエータが第１の静止位置をとるもとでフレキシブル印刷配線基板が絶縁ハウジングに差し込まれた状態を示す斜視図である。
【図７】本発明に係るコネクタ装置の一例について、それが配線基板に実装されてアクチュエータが第１の静止位置をとるもとで、フレキシブル印刷配線基板が絶縁ハウジングに差し込まれた状態を示す断面図である。
【図８】本発明に係るコネクタ装置の一例について、それが配線基板に実装されてアクチュエータが第１の静止位置をとるもとで、フレキシブル印刷配線基板が絶縁ハウジングに差し込まれた状態を示す断面図である。
【図９】本発明に係るコネクタ装置の一例について、それが配線基板に実装されてアクチュエータが第１の静止位置をとるもとでフレキシブル印刷配線基板が絶縁ハウジングに差し込まれ、その後、アクチュエータが第２の静止位置をとるものとされた状態を示す斜視図である。
【図１０】本発明に係るコネクタ装置の一例について、アクチュエータが第１の静止位置をとるもとでフレキシブル印刷配線基板が絶縁ハウジングに差し込まれ、その後、アクチュエータが第２の静止位置をとるものとされた状態を示す平面図である。
【図１１】図１０におけるXI−XI線断面を示す断面図である。
【図１２】図１０における XII−XII 線断面を示す断面図である。
【図１３】本発明に係るコネクタ装置の一例について、その絶縁ハウジングにフレキシブル印刷配線基板が差し込まれていないもとで、アクチュエータが第２の静止位置をとるものとされた後に第１の静止位置をとるものとされる途中の状態を示す断面図である。
【図１４】本発明に係るコネクタ装置の一例について、その絶縁ハウジングにフレキシブル印刷配線基板が差し込まれていないもとで、アクチュエータが第２の静止位置をとるものとされた後に第１の静止位置をとるものとされる途中の状態を示す断面図である。
【図１５】図１４における二点鎖線枠Ｂ内を拡大して示す部分拡大断面図である。
【発明を実施するための形態】
【００２８】
本発明を実施するための形態は、以下に述べられる本発明についての実施例をもって説明される。
【実施例】
【００２９】
図１（斜視図）及び図２（平面図）は、本発明に係るコネクタ装置の一例を成すコネクタ装置１０を、それが実装された配線基板１１（図２には配線基板１１は図示が省略されている。）及びそれに装着される配線板状部材を成すフレキシブル印刷配線基板１２と共に示す。
【００３０】
図１及び図２において、コネクタ装置１０は、合成樹脂等の絶縁材料によって形成され、電子機器等の配線基板１１に配されて配線板状部材の差込みがなされる絶縁ハウジング１３を備えている。配線基板１１には、その一部分が切り取られて形成された基板切欠き部１４が設けられており、絶縁ハウジング１３は、配線基板１１における基板切欠き部１４に落とし込まれている。絶縁ハウジング１３には、それに固定された一対の取付け金具１５が備えられており、これら一対の取付け金具１５の夫々の一部分は、配線基板１１に設けられたコネクタ取付け部１６に、例えば、半田付けされて固定される。それにより、配線基板１１における基板切欠き部１４に落とし込まれた絶縁ハウジング１３が、一対の取付け金具１５により支えられて配線基板１１に配されたものとされる。
【００３１】
絶縁ハウジング１３には、例えば、フレキシブル印刷配線基板１２とされる配線板状部材が差し込まれる板状部材差込み部１７と板状部材差込み部１７に差し込まれた配線板状部材に対面する板状部材対面部１８が設けられている。図１における二点鎖線枠Ａ内を拡大してあらわす図３に示される如く、板状部材対面部１８には、各々が板状部材差込み部１７に対する配線板状部材の差込み方向あるいは抜脱方向に沿って伸び、絶縁ハウジング１３の長手方向に沿って配列配置されて形成された複数の溝部１９が設けられている。
【００３２】
また、図３に示される如く、絶縁ハウジング１３には、複数の第１のコンタクト２０及び複数の第２のコンタクト２１が、絶縁ハウジング１３の長手方向に沿って配列配置されて取り付けられていて、複数の第１のコンタクト２０及び複数の第２のコンタクト２１の夫々が、その一部分が絶縁ハウジング１３における板状部材対面部１８に設けられた溝部１９内に配されたものとされている。それにより、複数の第１のコンタクト２０及び複数の第２のコンタクト２１の配列方向（以下、コンタクト配列方向という。）は、絶縁ハウジング１３の長手方向と一致していることになる。
【００３３】
図１，図２及び図３に示されるコネクタ装置１０にあっては、複数の第１のコンタクト２０及び複数の第２のコンタクト２１の配列配置において、第２のコンタクト２１は第１のコンタクト２０の２個毎に配されており、従って、第２のコンタクト２１は一対の第１のコンタクト２０に挟まれたものとされている。なお、複数の第１のコンタクト２０及び複数の第２のコンタクト２１の配置態様は、上述のように第２のコンタクト２１が第１のコンタクト２０の２個毎に配される態様に限られるものではなく、第１のコンタクト２０と第２のコンタクト２１とが交互に配される態様を含めて、第２のコンタクト２１が第１のコンタクト２０の所定数毎に配される態様とされればよい。
【００３４】
複数の第１のコンタクト２０の夫々は、弾性を有した導電性材料をもって形成された板状部材とされていて、図２におけるIV−IV線断面を示す図４に示されるように、絶縁ハウジング１３に固定される固定部２２と固定部２２から伸びる一対の腕状部２３及び２４とを有している。腕状部２３は、絶縁ハウジング１３に対して固定されていて、後述されるアクチュエータに係合する鉤状部を成す係合支持部２３ａが設けられたものとされており、また、腕状部２４は、絶縁ハウジング１３に対して弾性変位可能な作動部とされていて、絶縁ハウジング１３における板状部材差込み部１７に差し込まれた配線板状部材に当接する接触部２４ａが設けられており、接触部２４ａが設けられた部分が、絶縁ハウジング１３における板状部材対面部１８に設けられた溝部１９内に配されている。斯かるもとで、腕状部２４に設けられた接触部２４ａは、その一部分を溝部１９から板状部材対面部１８外へと突出させている。さらに、複数の第１のコンタクト２０の夫々における固定部２２には、接続端子部２５が設けられており、接続端子部２５は、絶縁ハウジング１３の外部へと伸びて、絶縁ハウジング１３が配される配線基板１１に設けられた配線部（図には現れていない。）に、例えば、半田付けにより接続される。
【００３５】
また、複数の第２のコンタクト２１の夫々も、弾性を有した導電性材料をもって形成された板状部材とされていて、図２におけるV −V 線断面を示す図５に示されるように、絶縁ハウジング１３に固定される固定部２６と固定部２６から伸びる一対の腕状部２７及び２８とを有している。腕状部２７は、絶縁ハウジング１３に対して固定されていて、後述されるアクチュエータに対する抜止め機能を果たす曲面凸部を成す抜止め部２７ａが設けられたものとされており、また、腕状部２８は、絶縁ハウジング１３に対して弾性変位可能な作動部とされていて、絶縁ハウジング１３における板状部材差込み部１７に差し込まれた配線板状部材に当接する接触部２８ａが設けられており、接触部２８ａが設けられた部分が、絶縁ハウジング１３における板状部材対面部１８に設けられた溝部１９内に配されている。斯かるもとで、腕状部２８に設けられた接触部２８ａは、その一部分を溝部１９から板状部材対面部１８外へと突出させている。さらに、複数の第２のコンタクト２１の夫々における固定部２６には、接続端子部２９が設けられており、接続端子部２９は、絶縁ハウジング１３の外部へと伸びて、絶縁ハウジング１３が配される配線基板１１に設けられた配線部（図には現れていない。）に、例えば、半田付けにより接続される。
【００３６】
さらに、コネクタ装置１０にあっては、絶縁ハウジング１３に対して回動可能とされたアクチュエータ３０が備えられている。アクチュエータ３０は、その長手方向がコンタクト配列方向、即ち、絶縁ハウジング１３の長手方向に沿うものとされた細長い板状体を成しており、図１及び図２に示されるような、絶縁ハウジング１３に対して立ち上がった位置となる第１の静止位置と、後述される図９及び図１０に示されるような、絶縁ハウジング１３に対して伏した位置となる第２の静止位置とを選択的にとるものとされている。
【００３７】
アクチュエータ３０における、当該アクチュエータ３０が第２の静止位置をとるとき絶縁ハウジング１３における板状部材対面部１８に対向することになる部分には、複数の板状部材押圧部３１が、絶縁ハウジング１３の長手方向、即ち、コンタクト配列方向に沿って配列配置されて形成されている。このようにコンタクト配列方向に沿って配列配置された複数の板状部材押圧部３１は、絶縁ハウジング１３における板状部材差込み部１７に配線板状部材が差し込まれたもとでアクチュエータ３０が第２の静止位置をとるとき、板状部材差込み部１７に差し込まれた配線板状部材を、絶縁ハウジング１３における板状部材対面部１８に設けられた複数の溝部１９に夫々配された、複数の第１のコンタクト２０の腕状部２４の各々に設けられてその一部分を溝部１９から板状部材対面部１８外へと突出させた接触部２４ａ及び複数の第２のコンタクト２１の腕状部２８の各々に設けられてその一部分を溝部１９から板状部材対面部１８外へと突出させた接触部２８ａに向けて押圧する。
【００３８】
そして、アクチュエータ３０に形成された複数の板状部材押圧部３１は、アクチュエータ３０が第２の静止位置をとるとき、絶縁ハウジング１３における板状部材対面部１８に設けられた複数の溝部１９に夫々対向する位置をとるものとされている。それにより、絶縁ハウジング１３における板状部材差込み部１７に配線板状部材が差し込まれたもとでアクチュエータ３０が第２の静止位置をとるとき、複数の板状部材押圧部３１の夫々は、絶縁ハウジング１３における板状部材対面部１８に設けられた溝部１９に配された、第１のコンタクト２０の腕状部２４に設けられた接触部２４ａ及び第２のコンタクト２１の腕状部２８に設けられた接触部２８ａのうちのいずれかに配線板状部材を挟んで対向する位置において、当該配線板状部材を接触部２４ａ及び接触部２８ａに向けて押圧することになる。その結果、アクチュエータ３０に形成された複数の板状部材押圧部３１は、絶縁ハウジング１３における板状部材差込み部１７に差し込まれた配線板状部材を、絶縁ハウジング１３における板状部材対面部１８に設けられた複数の溝部１９に夫々配された、複数の第１のコンタクト２０の腕状部２４の各々に設けられてその一部分を溝部１９から板状部材対面部１８外へと突出させた接触部２４ａ及び複数の第２のコンタクト２１の腕状部２８の各々に設けられてその一部分を溝部１９から板状部材対面部１８外へと突出させた接触部２８ａに、適正かつ確実に押圧当接させる。
【００３９】
このようなアクチュエータ３０には、図４に示されるように、複数の第１のコンタクト２０の夫々の腕状部２３に設けられた鉤状部を成す係合支持部２３ａが係合せしめられる、軸状部を成す被係合部３３が設けられている。従って、アクチュエータ３０に設けられた被係合部３３は、それに第１のコンタクト２０が係合するものとされているのである。斯かるアクチュエータ３０は、被係合部３３に複数の第１のコンタクト２０の腕状部２３の夫々に設けられた係合支持部２３ａが係合して、それにより、係合支持部２３ａによって支持されたもとで、絶縁ハウジング１３に対してアクチュエータ３０の長手方向に伸びる仮想回転軸をもって回動可能とされていて、絶縁ハウジング１３に対して立ち上がった位置となる第１の静止位置と、絶縁ハウジング１３に対して伏した位置となる第２の静止位置とを選択的にとることになる。
【００４０】
このように、アクチュエータ３０は、それに設けられた被係合部３３に複数の第１のコンタクト２０の腕状部２３の夫々に設けられた係合支持部２３ａが係合して、それにより、係合支持部２３ａによって支持されたもとで、絶縁ハウジング１３に対して回動可能とされているので、例えば、複数の第１及び第２のコンタクト２０及び２１の配列方向における“反り”等の変形を生じたものとされる場合においても、第１の静止位置から第２の静止位置への回動操作上の不都合、あるいは、第２の静止位置から第１の静止位置への回動操作上の不都合がもたらされる事態を回避できるものとされていることになる。
【００４１】
そして、斯かるアクチュエータ３０は、絶縁ハウジング１３における板状部材差込み部１７に配線板状部材が差し込まれたもとで第１の静止位置から回動して第２の静止位置に移行するとき、それにおける複数の板状部材押圧部３１の夫々により、絶縁ハウジング１３における板状部材対面部１８に設けられた溝部１９に配された、第１のコンタクト２０の腕状部２４に設けられた接触部２４ａ及び第２のコンタクト２１の腕状部２８に設けられた接触部２８ａの夫々に配線板状部材を挟んで対向する位置において、当該配線板状部材を接触部２４ａ及び２８ａに向けて押圧する。
【００４２】
また、アクチュエータ３０には、図５に示されるように、複数の第２のコンタクト２１の夫々に、その腕状部２７に設けられた抜止め部２７ａの近傍において対向する突起部３４が設けられている。突起部３４は、アクチュエータ３０が第１の静止位置あるいは第１の静止位置の近傍の位置をとるとき、第２のコンタクト２１の腕状部２７に設けられた抜止め部２７ａに対向することになる傾斜面部３４ａが設けられたものとされている。
【００４３】
アクチュエータ３０における傾斜面部３４ａが設けられた突起部３４は、アクチュエータ３０が、第１の静止位置あるいは第１の静止位置の近傍の位置をとるもとで、撓みを生じて第１のコンタクト２０の腕状部２４及び第２のコンタクト２０の腕状部２８に向かって部分的に変位するとき、それに設けられた傾斜面部３４ａが第２のコンタクト２１の腕状部２７に設けられた曲面凸部を成す抜止め部２７ａに当接するものとされ、それにより、抜止め部２７ａから絶縁ハウジング１３に対する配線板状部材の差込み方向に沿う方向に変位せしめられる。
【００４４】
さらに、アクチュエータ３０には、配列配置されて形成された複数の板状部材押圧部３１を絶縁ハウジング１３の長手方向、即ち、コンタクト配列方向において挟むものとなる一対の係合係止部３５が設けられている。これら一対の係合係止部３５は、絶縁ハウジング１３における板状部材差込み部１７に配線板状部材が差し込まれたもとでアクチュエータ３０が第１の静止位置から回動して第２の静止位置に移行したとき、板状部材差込み部１７に差し込まれた配線板状部材に設けられた一対の被係合係止部に夫々係合して配線板状部材を係止し、当該配線板状部材に板状部材差込み部１７に差し込まれた状態を維持させる。
【００４５】
絶縁ハウジング１３における板状部材差込み部１７に差し込まれる配線板状部材を成すフレキシブル印刷配線基板１２には、その本体平板状部４０の一端部に、板状部材差込み部１７に挿入されて、絶縁ハウジング１３における板状部材対面部１８が対面する状態におかれる端子板部４１が設けられている。端子板部４１における図１及び図２に現れている面（便宜上、上面という。）４２に対向する面（便宜上、下面という。）４３には、複数の接触端子部４４（図４及び図５等に示されている。）が、板状部材差込み部１７に対する端子板部４１の挿入又は抜脱方向に直交する方向に配列配置されている。また、フレキシブル印刷配線基板１２の端子板部４１には、それにおける複数の接触端子部４４の配列方向の両端部に被係合係止部を成す切欠き部４５が夫々設けられている。これらの切欠き部４５は、板状部材差込み部１７に対する端子板部４１の挿入が完了したもとでアクチュエータ３０が第２の静止位置をとるとき、アクチュエータ３０に設けられた係合係止部３５が係合するものとされ、それにより、フレキシブル印刷配線基板１２が、アクチュエータ３０に設けられた係合係止部３５によって係止されて、板状部材差込み部１７に差し込まれた状態を維持するものとされる。
【００４６】
上述のコネクタ装置１０にあっては、アクチュエータ３０が第１の静止位置をとるもとにおいて、図１及び図２に示される状態におかれた配線板状部材としてのフレキシブル印刷配線基板１２が、その端子板部４１を絶縁ハウジング１３における板状部材差込み部１７に挿入させる状態をもって、当該板状部材差込み部１７に絶縁ハウジング１３の長手方向に直交する奥行き方向に沿って差し込まれる。そして、板状部材差込み部１７に対するフレキシブル印刷配線基板１２の差込みが完了し、それに伴って板状部材差込み部１７に対する端子板部４１の挿入が完了すると、図６，図７及び図８に示されるように、板状部材差込み部１７に挿入された端子板部４１が絶縁ハウジング１３における板状部材対面部１８を覆うものとされて、当該端子板部４１の下面に板状部材対面部１８が対面する状態がとられる。
【００４７】
このようにして、フレキシブル印刷配線基板１２の端子板部４１が絶縁ハウジング１３における板状部材差込み部１７に挿入されたもとにあっては、絶縁ハウジング１３における板状部材対面部１８に設けられた複数の溝部１９に夫々配された複数の第１のコンタクト２０の腕状部２４の各々及び複数の第２のコンタクト２１の腕状部２８の各々に夫々設けられてその一部分を溝部１９から板状部材対面部１８外へと突出させた接触部２４ａ及び２８ａが、端子板部４１の下面４３に配列配置された複数の接触端子部４４のうちの対応するものに対応する位置をとるものとされる。そして、図７及び図８に示されるように、複数の接触部２４ａ及び複数の接触部２８ａの夫々は、複数の接触端子部４４のうちの対応するものに当接する状態をとる。
【００４８】
続いて、アクチュエータ３０が、第１の静止位置から第２の静止位置へと絶縁ハウジング１３に対してアクチュエータ３０の長手方向に伸びる仮想回転軸をもって回動せしめられ、図９及び図１０に示されるように、第２の静止位置をとるものとされると、図１０におけるXI−XI線断面をあらわす図１１及び図１０における XII−XII 線断面をあらわす図１２に示されるように、アクチュエータ３０に配列配置された複数の板状部材押圧部３１が、絶縁ハウジング１３における板状部材差込み部１７に挿入されたフレキシブル印刷配線基板１２の端子板部４１を、一部分を絶縁ハウジング１３における板状部材対面部１８に設けられた複数の溝部１９の夫々から板状部材対面部１８外へと突出させた複数の第１のコンタクト２０の接触部２４ａ及び複数の第２のコンタクト２１の接触部２８ａに向けて押圧する。それにより、複数の第１のコンタクト２０の腕状部２４に夫々設けられた複数の接触部２４ａ及び複数の第２のコンタクト２１の腕状部２８に夫々設けられた複数の接触部２８ａが、フレキシブル印刷配線基板１２の端子板部４１の下面４３に配列配置された複数の接触端子部４４に夫々押圧当接するものとされ、各々が接触部２４ａを有した複数の第１のコンタクト２０及び各々が接触部２８ａを有した複数の第２のコンタクト２１が複数の接触端子部４４との電気的接続状態におかれる。
【００４９】
斯かる際、アクチュエータ３０に配列配置された複数の板状部材押圧部３１の夫々は、絶縁ハウジング１３における板状部材対面部１８に設けられた複数の溝部１９に夫々配された、複数の第１のコンタクト２０の腕状部２４に設けられた接触部２４ａ及び複数の第２のコンタクト２１の腕状部２８に設けられた接触部２８ａのいずれかに、フレキシブル印刷配線基板１２の端子板部４１を挟んで対向する位置において、当該端子板部４１を接触部２４ａ及び接触部２８ａに向けて押圧するので、複数の板状部材押圧部３１は、端子板部４１の下面４３側に配列配置された複数の接触端子部４４を、複数の溝部１９に夫々配された、複数の第１のコンタクト２０の腕状部２４に設けられて各々の一部分を溝部１９から板状部材対面部１８外へと突出させた複数の接触部２４ａ、及び、複数の第２のコンタクト２１の腕状部２８に設けられて各々の一部分を溝部１９から板状部材対面部１８外へと突出させた複数の接触部２８ａに、適正かつ確実に押圧当接させることができる。
【００５０】
また、このとき、アクチュエータ３０に設けられた一対の係合係止部３５が、フレキシブル印刷配線基板１２の端子板部４１に設けられた一対の切欠き部４５の夫々に係合して、フレキシブル印刷配線基板１２を係止し、それにより、フレキシブル印刷配線基板１２に絶縁ハウジング１３における板状部材差込み部１７に差し込まれた状態を維持させる。
【００５１】
その後、上述のように、絶縁ハウジング１３における板状部材差込み部１７にフレキシブル印刷配線基板１２の端子板部４１が挿入され、アクチュエータ３０が第２の静止位置をとるものとされて、アクチュエータ３０に設けられた一対の係合係止部３５によりフレキシブル印刷配線基板１２が係止されたもとにおいて、必要に応じて、アクチュエータ３０が第２の静止位置から第１の静止位置へと絶縁ハウジング１３に対して回動せしめられると、アクチュエータ３０に設けられた一対の係合係止部３５によるフレキシブル印刷配線基板１２に対する係止が解除されるとともに、絶縁ハウジング１３における板状部材差込み部１７に挿入されたフレキシブル印刷配線基板１２の端子板部４１がアクチュエータ３０に配列配置された複数の板状部材押圧部３１により押圧される状態が解除される。それにより、端子板部４１が板状部材差込み部１７に挿入されたものとされたフレキシブル印刷配線基板１２を絶縁ハウジング１３から離脱させることができることになる。
【００５２】
このようなコネクタ装置１０において、フレキシブル印刷配線基板１２等とされる配線板状部材が絶縁ハウジング１３における板状部材差込み部１７に差し込まれていないもとで、アクチュエータ３０が、第１の静止位置から第２の静止位置へと絶縁ハウジング１３に対して回動せしめられて第２の静止位置をとるものとされる、所謂“空閉じ”が行われると、アクチュエータ３０に配列配置された複数の板状部材押圧部３１が、配線板状部材を介在させることなく、絶縁ハウジング１３における板状部材対面部１８に直接的に対面することになる。斯かるもとでは、アクチュエータ３０に配列配置された複数の板状部材押圧部３１がフレキシブル印刷配線基板１２等とされる配線板状部材に当接することがないので、アクチュエータ３０が、例えば、その長手方向の中央部分が絶縁ハウジング１３における板状部材対面部１８に向かって変位することになる撓みを生じることになる虞がある。
【００５３】
そして、アクチュエータ３０が上述のような撓みを生じた場合、斯かる状態のもとで、絶縁ハウジング１３における板状部材差込み部１７にフレキシブル印刷配線基板１２等とされる配線板状部材を差し込むことができる状態とすべく、撓みを生じたアクチュエータ３０が第２の静止位置から回動せしめられて第１の静止位置へと移行せしめられるにあたって、例えば、図１３及び図１４に示されるように、アクチュエータ３０が絶縁ハウジング１３に対して略垂直に立ち上がった姿勢をもって第１の静止位置の近傍の位置をとるものとされるとき、あるいは、第１の静止位置をとるものとされるとき、アクチュエータ３０がその長手方向の中央部分が絶縁ハウジング１３における板状部材対面部１８に向かって変位することになる撓みを生じていることによって、アクチュエータ３０に設けられた軸状部を成す被係合部３３が、複数の第１のコンタクト２０の腕状部２３の夫々に設けられた鉤状部を成す係合支持部２３ａとの係合を解除して係合支持部２３ａから外れてしまい、その結果、アクチュエータ３０が複数の第１のコンタクト２０及び複数の第２のコンタクト２１から離脱してしまうことが考えられる。しかしながら、実際には、以下のようにして、アクチュエータ３０が複数の第１のコンタクト２０及び複数の第２のコンタクト２１から離脱する事態が生じ難くされる。
【００５４】
図１４における二点鎖線枠Ｂ内を拡大して示す図１５に示されるように、アクチュエータ３０が絶縁ハウジング１３に対して略垂直に立ち上がった姿勢をもって第１の静止位置の近傍の位置をとるものとされるとき、あるいは、第１の静止位置をとるものとされるときには、アクチュエータ３０における傾斜面部３４ａが設けられた突起部３４が、その傾斜面部３４ａを第２のコンタクト２１の腕状部２７に設けられた抜止め部２７ａに対向させるものとされる。斯かるもとで、アクチュエータ３０がそれに生じた撓みによって第１のコンタクト２０の腕状部２４及び第２のコンタクト２１の腕状部２８に向かって部分的に変位するものとされると、突起部３４に設けられた傾斜面部３４ａが第２のコンタクト２１の腕状部２７に設けられた曲面凸部を成す抜止め部２７ａに当接するものとされ、それにより、突起部３４が、抜止め部２７ａに当接した傾斜面部３４ａの作用により、抜止め部２７ａから絶縁ハウジング１３に対する配線板状部材の差込み方向に沿う方向（図１５における矢印Ｌの方向）に変位せしめられる。その結果、アクチュエータ３０が、第１の静止位置あるいは第１の静止位置の近傍の位置をとるもとで、第１のコンタクト２０の腕状部２４及び第２のコンタクト２１の腕状部２８に向かって部分的に変位する撓みを生じたものとされるときにおいても、アクチュエータ３０に設けられた突起部３４の絶縁ハウジング１３に対する配線板状部材の差込み方向とは逆方向の変位が阻止され、それに伴って、アクチュエータ３０の複数の第１のコンタクト２０及び複数の第２のコンタクト２１からの離脱が生じ難くされることになる。
【００５５】
上述の本発明に係るコネクタ装置の一例をなすコネクタ装置１０にあっては、フレキシブル印刷配線基板１２が絶縁ハウジング１３に差し込まれたもとで、アクチュエータ３０に設けられた板状部材押圧部３１によりフレキシブル印刷配線基板１２を押圧して、複数の第１のコンタクト２０の各々の接触部２４ａ及び複数の第２のコンタクト２１の各々の接触部２８ａにフレキシブル印刷配線基板１２における複数の接触端子部４４のうちの対応するものに押圧当接する状態をとらせるべく、アクチュエータ３０を第１の静止位置から第２の静止位置へと回動移行させる際には、アクチュエータ３０は、例えば、複数の第１のコンタクト２０と複数の第２のコンタクト２１によって挟まれて支持される状態におかれることなく、それに設けられた被係合部３３に複数の第１のコンタクト２０の夫々に設けられた係合支持部２３ａが係合して、当該係合支持部２３ａにより回動可能に支持された状態におかれる。それゆえ、コネクタ装置１０によれば、アクチュエータ３０が複数の第１のコンタクト２０及び複数の第２のコンタクト２１の配列方向における“反り”等の変形を生じたものとされる場合においても、アクチュエータ３０の回動操作上の不都合がもたらされる事態を回避することができる。
【００５６】
それに加えて、コネクタ装置１０によれば、アクチュエータ３０に複数の第２のコンタクト２１の夫々に対向する突起部３４が設けられているとともに、複数の第２のコンタクト２１の夫々に、アクチュエータ３０が第１の静止位置をとるにあたって撓みを生じたものとされるとき、アクチュエータ３０に設けられた突起部３４に係合して当該突起部３４のフレキシブル印刷配線基板１２の絶縁ハウジング１３に対する差込み方向とは逆方向の変位を阻止する状態をとる抜止め部２７ａが設けられているので、アクチュエータ３０の“空閉じ”が行われ、さらには、その後アクチュエータ３０の第２の静止位置から第１の静止位置への回動が行われる際において、アクチュエータ３０が撓みを生じたものとされる場合にあっても、それによりアクチュエータ３０が、絶縁ハウジング１３に対するフレキシブル印刷配線基板１２の差込み方向とは逆方向に変位して配列配置された複数の第１のコンタクト２０及び第２のコンタクト２１から離脱してしまう事態を生じ難くすることができる。
【００５７】
また、絶縁ハウジング１３における複数の第１のコンタクト２０及び第２のコンタクト２１の配列において、第２のコンタクト２１が、第１のコンタクト２０と第２のコンタクト２１とが交互に配される態様を含めて、第１のコンタクト２０の所定数毎に配されたものとされるので、アクチュエータ３０に設けられた被係合部３３に第１のコンタクト２０に設けられた係合支持部２３ａが係合することによる、第１のコンタクト２０によるアクチュエータ３０の支持と、アクチュエータ３０が第１の静止位置をとるにあたって撓みを生じたものとされるとき、第２のコンタクト２１に設けられた抜止め部２７ａがアクチュエータ３０に設けられた突起部３４に係合することによる、当該突起部３４のフレキシブル印刷配線基板１２の絶縁ハウジング１３に対する差込み方向とは逆方向の変位の阻止とが、複数の第１のコンタクト２０及び複数の第２のコンタクト２１の配列配置全体に亙ってバランスよく行われる。そして、アクチュエータ３０に設けられた被係合部３３が軸状部を成すものとされるとともに、第１のコンタクト２０に設けられた係合支持部２３ａが鉤状部を成すものとされるので、アクチュエータ３０に設けられた被係合部３３が第１のコンタクト２０に設けられた係合支持部２３ａに係合することによる、第１のコンタクト２０によるアクチュエータ３０の支持がより確実に行われる。また、アクチュエータ３０に設けられた突起部３４が、アクチュエータ３０が第１の静止位置あるいは第１の静止位置の近傍の位置をとるとき、第２のコンタクト２１に設けられた抜止め部２７ａに対向する傾斜面部３４ａが設けられたものとされるので、アクチュエータ３０が第１の静止位置をとるにあたって撓みを生じたものとされるとき、突起部３４に設けられた傾斜面部３４ａに抜止め部２７ａが当接することになり、抜止め部２７ａが突起部３４に係合して当該突起部３４のフレキシブル印刷配線基板１２の絶縁ハウジング１３に対する差込み方向とは逆方向の変位を阻止する状態がより確実かつ円滑に行われる。
【産業上の利用可能性】
【００５８】
以上のような本発明に係るコネクタ装置は、絶縁ハウジングに複数のコンタクトが配列配置されて設けられるとともに、複数のコンタクトにより支持されて絶縁ハウジングに対する第１の静止位置から第２の静止位置への回動及び第２の静止位置から第１の静止位置への回動が可能とされたアクチュエータが設けられて成り、配線板状部材の絶縁ハウジングへの差込みがなされたもとで、アクチュエータが第１の静止位置から第２の静止位置へと回動せしめられることにより、複数のコンタクトの夫々に、配線板状部材に設けられた複数の接触端子部のうちの対応するものに対する押圧接触状態をとらせるコネクタ装置であって、アクチュエータの“空閉じ”が行われ、さらには、その後第２の静止位置から第１の静止位置への回動が行われる際においても、アクチュエータが配列配置された複数のコンタクトから離脱してしまう事態を生じ難くすることができ、かつ、アクチュエータが複数のコンタクトの配列方向における“反り”等の変形が生じたものとされる場合においても、アクチュエータの回動操作上の不都合がもたらされる事態を回避できるものとして、様々な電子機器等に広く適用され得るものである。
【符号の説明】
【００５９】
１０・・・コネクタ装置，  １１・・・配線基板，  １２・・・フレキシブル印刷配線基板，  １３・・・絶縁ハウジング，  １４・・・基板切欠き部，  １５・・・取付け金具，  １６・・・コネクタ取付け部，  １７・・・板状部材差込み部，  １８・・・板状部材対面部，  １９・・・溝部，  ２０・・・第１のコンタクト，  ２１・・・第２のコンタクト，  ２２，２６・・・固定部，  ２３，２４，２７，２８・・・腕状部，  ２３ａ・・・係合支持部，  ２４ａ，２８ａ・・・接触部，  ２５，２９・・・接続端子部，  ２７ａ・・・抜止め部，  ３０・・・アクチュエータ，  ３１・・・板状部材押圧部，  ３３・・・被係合部，  ３４・・・突起部，  ３４ａ・・・傾斜面部，  ３５・・・係合係止部，  ４０・・・本体平板状部，  ４１・・・端子板部，  ４４・・・接触端子部，  ４５・・・切欠き部
【図１】
2018097979.tif 000003
【図２】
2018097979.tif 000004
【図３】
2018097979.tif 000005
【図４】
2018097979.tif 000006
【図５】
2018097979.tif 000007
【図６】
2018097979.tif 000008
【図７】
2018097979.tif 000009
【図８】
2018097979.tif 000010
【図９】
2018097979.tif 000011
【図１０】
2018097979.tif 000012
【図１１】
2018097979.tif 000013
【図１２】
2018097979.tif 000014
【図１３】
2018097979.tif 000015
【図１４】
2018097979.tif 000016
【図１５】
2018097979.tif 000017